(57)【要約】【課題】画面の状態ごとに、放送番組の制作者が指定する表示レイアウトで映像を表示することができる映像表示装置及び映像表示方法を提供する。【解決手段】映像表示装置１は、画面４１内における複数のレイアウト情報と複数の表示情報とを含むコンテンツ信号が入力されるコンテンツ入力部１０と、コンテンツ信号から複数のレイアウト情報及び複数の表示情報を抽出する抽出部２０と、画面４１の画面状態情報を取得する状態情報取得部５０と、画面状態情報に応じて、抽出された複数のレイアウト情報の内のいずれか１つのレイアウト情報を選択するレイアウト決定部６１と、選択されたレイアウト情報によって示される複数の表示領域に応じて、抽出された複数の表示情報に対し加工処理及び合成処理を行って、合成映像データを生成する合成部３０とを備え、表示部４０は、画面４１に合成映像データに基づく合成映像を表示する。【選択図】図１
2016178421.tif 000002
【特許請求の範囲】
【請求項１】
画面を有する表示部と、
前記画面内における複数の表示領域の配置を示す複数のレイアウト情報と前記複数の表示領域にそれぞれ表示される複数の表示情報とを含むコンテンツ信号が入力されるコンテンツ入力部と、
前記コンテンツ信号から前記複数のレイアウト情報及び前記複数の表示情報を抽出する抽出部と、
前記画面の状態を示す画面状態情報を取得する状態情報取得部と、
前記状態情報取得部によって取得された前記画面状態情報に応じて、前記抽出部で抽出された前記複数のレイアウト情報の内のいずれか１つのレイアウト情報を選択するレイアウト決定部と、
前記レイアウト決定部によって選択された前記レイアウト情報によって示される前記複数の表示領域に応じて、前記抽出部で抽出された前記複数の表示情報に対し加工処理及び合成処理を行って、合成映像データを生成する合成部と、を備え、
前記表示部は、前記画面に前記合成映像データに基づく合成映像を表示する
ことを特徴とする映像表示装置。
【請求項２】
前記表示部を回転可能に支持する支持部をさらに備え、
前記画面状態情報は、前記支持部に対する前記表示部の回転位置を示す情報である
ことを特徴とする請求項１に記載の映像表示装置。
【請求項３】
前記画面状態情報は、重力方向に対する前記画面の姿勢を示す情報である
ことを特徴とする請求項１に記載の映像表示装置。
【請求項４】
ユーザによって情報が入力される操作入力部をさらに備え、
前記画面状態情報は、前記操作入力部で入力された情報である
ことを特徴とする請求項１に記載の映像表示装置。
【請求項５】
前記画面は長方形であり、
前記画面状態情報は、前記画面が縦長表示状態又は横長表示状態のいずれであるかを示す情報である
ことを特徴とする請求項１から４のいずれか１項に記載の映像表示装置。
【請求項６】
前記複数の表示情報は、映像コンテンツに関する映像情報、文字情報、及び図形及び写真を示す画像情報と、の内のいずれかを含むことを特徴とする請求項１から５のいずれか１項に記載の映像表示装置。
【請求項７】
前記合成部によって実行される前記加工処理は、前記レイアウト決定部によって選択された前記レイアウト情報によって示される前記複数の表示領域のサイズに応じて、前記抽出部で抽出された前記複数の表示情報のサイズを変える処理を含むことを特徴とする請求項１から６のいずれか１項に記載の映像表示装置。
【請求項８】
前記表示情報のサイズを変える処理は、前記複数の表示情報の各々の拡大又は縮小処理であることを特徴とする請求項７に記載の映像表示装置。
【請求項９】
前記合成部によって実行される前記合成処理は、前記レイアウト決定部によって選択された前記レイアウト情報によって示される前記複数の表示領域の配置に応じて、前記加工処理を受けた前記複数の表示情報を配置する処理を含むことを特徴とする請求項１から８のいずれか１項に記載の映像表示装置。
【請求項１０】
画面を有する表示部を備える映像表示装置が実行する映像表示方法であって、
前記画面内における複数の表示領域の配置を示す複数のレイアウト情報と前記複数の表示領域にそれぞれ表示される複数の表示情報とを含むコンテンツ信号を受け取るコンテンツ入力ステップと、
前記コンテンツ信号から前記複数のレイアウト情報及び前記複数の表示情報を抽出する抽出ステップと、
前記画面の状態を示す画面状態情報を取得する状態情報取得ステップと、
前記状態情報取得ステップによって取得された前記画面状態情報に応じて、前記抽出ステップで抽出された前記複数のレイアウト情報の内のいずれか１つのレイアウト情報を選択するレイアウト決定ステップと、
前記レイアウト決定ステップによって選択された前記レイアウト情報によって示される前記複数の表示領域に応じて、前記抽出ステップで抽出された前記複数の表示情報に対し加工処理及び合成処理を行って、合成映像データを生成する合成ステップと、
前記画面に前記合成映像データに基づく合成映像を表示する表示ステップと
を有することを特徴とする映像表示方法。
【発明の詳細な説明】
【技術分野】
【０００１】
本発明は、コンテンツ信号に含まれるレイアウト情報に応じて画面の表示レイアウトを切り替える映像表示装置及び映像表示方法に関するものである。
【背景技術】
【０００２】
映像表示装置としてのデジタルテレビは、画面内の複数の表示領域に映像及び文字情報をそれぞれ表示することができる（例えば、非特許文献１参照）。また、映像表示装置としての携帯情報端末は、画面内の一部の表示領域にテレビ放送の映像を、残りの表示領域に文字情報などを表示することができる。また、携帯情報端末は、画面内の複数の表示領域の配置（表示レイアウト）を示す複数のレイアウト情報を予め記憶し、画面の状態（姿勢）が縦長表示状態であるか又は横長表示状態であるかに応じて、表示レイアウトを切り替えて表示を行うことができる（例えば、特許文献１参照）。
【先行技術文献】
【非特許文献】
【０００３】
【非特許文献１】一般社団法人  電波産業会、標準規格ＡＲＩＢ  ＳＴＤ−Ｂ６０  １．０版、「デジタル放送におけるＭＭＴによるメディアトランスポート方式」、２０１４年７月発行、ｐ．４９−５４
【特許文献】
【０００４】
【特許文献１】特開２００８−１７３７３号公報
【発明の開示】
【発明が解決しようとする課題】
【０００５】
しかしながら、上記従来の映像表示装置は、予め記憶しているレイアウト情報に基づいて表示レイアウトを切り替えているので、放送番組の制作者が指定するレイアウト情報に従う表示レイアウトで映像を提供することができない。例えば、放送番組の制作者は、番組ごとに字幕表示の領域を大きくしたり又は小さくしたりすることはできず、また、放送番組の制作者が意図した表示領域に字幕等のデータ放送を配置することができなかった。
【０００６】
そこで、本発明は、上記従来技術の課題を解決するためになされたものであり、画面の状態ごとに、放送番組の制作者が指定する表示レイアウトで映像を表示することができる映像表示装置及び映像表示方法を提供することを目的とする。
【課題を解決するための手段】
【０００７】
本発明の一態様に係る映像表示装置は、画面を有する表示部と、前記画面内における複数の表示領域の配置を示す複数のレイアウト情報と前記複数の表示領域にそれぞれ表示される複数の表示情報とを含むコンテンツ信号が入力されるコンテンツ入力部と、前記コンテンツ信号から前記複数のレイアウト情報及び前記複数の表示情報を抽出する抽出部と、前記画面の状態を示す画面状態情報を取得する状態情報取得部と、前記状態情報取得部によって取得された前記画面状態情報に応じて、前記抽出部で抽出された前記複数のレイアウト情報の内のいずれか１つのレイアウト情報を選択するレイアウト決定部と、前記レイアウト決定部によって選択された前記レイアウト情報によって示される前記複数の表示領域に応じて、前記抽出部で抽出された前記複数の表示情報に対し加工処理及び合成処理を行って、合成映像データを生成する合成部と、を備え、前記表示部は、前記画面に前記合成映像データに基づく合成映像を表示することを特徴とする。
【０００８】
本発明の他の態様に係る映像表示方法は、画面を有する表示部を備える映像表示装置が実行する映像表示方法であって、前記画面内における複数の表示領域の配置を示す複数のレイアウト情報と前記複数の表示領域にそれぞれ表示される複数の表示情報とを含むコンテンツ信号を受け取るコンテンツ入力ステップと、前記コンテンツ信号から前記複数のレイアウト情報及び前記複数の表示情報を抽出する抽出ステップと、前記画面の状態を示す画面状態情報を取得する状態情報取得ステップと、前記状態情報取得ステップによって取得された前記画面状態情報に応じて、前記抽出ステップで抽出された前記複数のレイアウト情報の内のいずれか１つのレイアウト情報を選択するレイアウト決定ステップと、前記レイアウト決定ステップによって選択された前記レイアウト情報によって示される前記複数の表示領域に応じて、前記抽出ステップで抽出された前記複数の表示情報に対し加工処理及び合成処理を行って、合成映像データを生成する合成ステップと、前記画面に前記合成映像データに基づく合成映像を表示する表示ステップとを有することを特徴とする。
【発明の効果】
【０００９】
本発明に係る映像表示装置は、表示部の画面の状態に応じて、受信されたコンテンツ信号に含まれる複数のレイアウト情報の内の１つを選択し、選択されたレイアウト情報によって示される複数の表示領域に応じて、複数の表示情報に対し加工処理及び合成処理を行って合成映像データを生成し、合成映像データに基づく合成映像を画面に表示する。このように、本発明によれば、画面の状態ごとに、放送番組の制作者が指定する表示レイアウトで映像を表示することができる。
【図面の簡単な説明】
【００１０】
【図１】本発明の実施の形態に係る映像表示装置の構成を概略的に示すブロック図である。
【図２】本実施の形態に係る映像表示装置の構成を詳細に示すブロック図である。
【図３】（ａ）及び（ｂ）は、本実施の形態に係る映像表示装置の画面の縦長表示状態及び横長表示状態の例をそれぞれ示す正面図である。
【図４】（ａ）及び（ｂ）は、本実施の形態に係る映像表示装置の画面の縦長表示状態及び横長表示状態の他の例をそれぞれ示す正面図である。
【図５】本実施の形態に係る映像表示装置に入力される映像情報コンテンツの構成例を示す図である。
【図６】横長表示状態の画面に適用される表示レイアウトのレイアウト情報の一例を示す図である。
【図７】映像情報コンテンツに含まれるレイアウト情報のデータ構造を表形式で示す図である。
【図８】図６に示されるレイアウト情報のデータ構造の具体例を表形式で示す図である。
【図９】縦長表示状態の画面に適用される表示レイアウトのレイアウト情報の一例を示す図である。
【図１０】図９に示されるレイアウト情報のデータ構造の具体例を表形式で示す図である。
【図１１】２つの画面を有する表示部に適用される表示レイアウトのレイアウト情報の一例を示す図である。
【図１２】図１１に示されるレイアウト情報のデータ構造の具体例を表形式で示す図である。
【図１３】本実施の形態に係る映像表示装置の表示処理を示すフローチャートである。
【図１４】本実施の形態に係る映像情報コンテンツの映像情報の回転に関する情報のデータ構成の一例を表形式で示す図である。
【発明を実施するための形態】
【００１１】
図１は、本発明の実施の形態に係る映像表示装置１の構成を概略的に示すブロック図である。映像表示装置１は、本実施の形態に係る映像表示方法を実施することができる装置である。映像表示装置１は、例えば、デジタルテレビ、携帯電話及びスマートフォン等のような携帯情報端末、パーソナルコンピュータ、及びタブレット型情報端末等である。図１に示されるように、本実施の形態に係る映像表示装置１は、コンテンツ信号が入力されるコンテンツ入力部１０と、コンテンツ信号から各種の情報（データ）を分離するコンテンツ分離部としての抽出部２０と、複数の表示情報（例えば、映像情報及び文字情報等）に加工処理及び合成処理を施して合成映像データを生成する合成部３０と、画面４１を有する表示部４０とを備える。また、映像表示装置１は、画面４１の状態（例えば、姿勢）を示す画面状態情報を取得（例えば、検出）する状態情報取得部５０と、画面４１の表示レイアウトを決定するレイアウト決定部６１を有する制御部６０とを備える。また、映像表示装置１は、ユーザによって情報及び指示等が入力される操作入力部７０を備えてもよい。
【００１２】
コンテンツ入力部１０には、コンテンツ信号Ｃ１が入力される。コンテンツ信号Ｃ１は、例えば、デジタル放送信号である。コンテンツ信号Ｃ１が映像情報を含む場合には、コンテンツ信号Ｃ１は、映像情報コンテンツとも言う。コンテンツ信号Ｃ１は、画面４１内における複数の表示領域の配置（すなわち、表示レイアウト）を示す複数のレイアウト情報と、複数の表示領域にそれぞれ表示される複数の表示情報とを含む。表示情報は、放送番組の映像情報と、データ放送に基づく画像情報及び文字情報とを含むことができる。すなわち、表示情報は、映像情報、画像情報、及び文字情報の内の少なくとも１つを含む。また、コンテンツ信号Ｃ１は、音声情報を含んでもよい。
【００１３】
抽出部２０は、コンテンツ入力部１０に入力されたコンテンツ信号Ｃ１からレイアウト情報及び表示情報を抽出する。
【００１４】
状態情報取得部５０は、画面４１の状態を示す画面状態情報を取得する。画面状態情報は、例えば、画面４１が映像表示装置１の本体の支持部４１ａに回転可能に支持されている場合には、表示部４０の画面４１の回転位置（角度）に基づく情報である。また、画面状態情報は、重力方向に対する画面４１の姿勢を示す情報であってもよい。この場合には、画面状態情報としては、例えば、画面４１の長手方向を重力方向に向ける縦長表示状態、又は、画面４１の短手方向を重力方向に向ける横長表示状態がある。
【００１５】
合成部３０は、レイアウト決定部６１によって選択されたレイアウト情報に基づく表示レイアウトによって区画される複数の表示領域に応じて、抽出部２０で抽出された複数の表示情報（例えば、映像情報、画像情報、及び文字情報等）に対し加工処理及び合成処理を行って、合成映像データを生成する。加工処理は、レイアウト決定部６１によって選択されたレイアウト情報に基づく表示レイアウトによって区画される複数の表示領域のサイズに応じて、抽出部２０で抽出された複数の表示情報の各々のサイズを変える処理を含むことができる。表示情報のサイズを変える処理は、複数の表示情報の各々の拡大処理又は縮小処理である。また、加工処理は、レイアウト決定部６１によって選択されたレイアウト情報に基づく表示レイアウトによって区画される複数の表示領域の形状に応じて、抽出部２０で抽出された複数の表示情報の各々を回転させたり、あるいは、縦書きの文字情報を横書きの文字情報に切り替えたりする処理を含むことができる。合成処理は、レイアウト決定部６１によって選択されたレイアウト情報に基づく表示レイアウトよって区画される複数の表示領域の配置に応じて、加工処理を受けた複数の表示情報を配置する処理を含む。
【００１６】
表示部４０は、画面４１に合成映像データに基づく合成映像を表示する。画面４１は、例えば、長方形の液晶表示パネルである。画面状態情報は、例えば、画面４１が縦長表示状態又は横長表示状態のいずれであるかを示す情報である。
【００１７】
映像表示装置１は、表示部４０の画面４１内における複数の表示領域の配置を示す複数のレイアウト情報と複数の表示領域にそれぞれ表示される複数の表示情報（例えば、映像情報、画像情報、及び文字情報等）とを含むコンテンツ信号Ｃ１を受け取り、コンテンツ信号Ｃ１から複数のレイアウト情報及び複数の表示情報を抽出する。映像表示装置１のレイアウト決定部６１は、画面４１の状態を示す画面状態情報を取得し、取得された画面状態情報に応じて、抽出された複数のレイアウト情報の内のいずれか１つのレイアウト情報を選択する。さらに、映像表示装置１は、選択されたレイアウト情報によって示される複数の表示領域に応じて、抽出された複数の表示情報に対し加工処理及び合成処理を行って、合成映像データを生成する。表示部４０は、画面４１に合成映像データに基づく合成映像を表示する。
【００１８】
このように、映像表示装置１は、画面４１の状態に応じて、受信されたコンテンツ信号Ｃ１に含まれる複数のレイアウト情報の内の１つを選択し、選択されたレイアウト情報に基づく表示レイアウトによって区画される複数の表示領域に応じて、複数の表示情報に対し加工処理及び合成処理を行って合成映像データを生成し、画面４１に合成映像データに基づく合成映像を表示する。このように、本実施の形態によれば、画面４１の状態ごとに、放送番組の制作者（提供者）が指定する表示レイアウトでユーザが視聴する画面４１に映像を表示することができる。
【００１９】
図２は、本実施の形態に係る映像表示装置１の構成を詳細に示すブロック図である。図２に示されるように、コンテンツ入力部１０は、例えば、映像情報コンテンツを含むデジタル放送信号（コンテンツ信号Ｃ１）を受信するチューナ１１と、他の映像情報コンテンツ（コンテンツ信号Ｃ２）を外部機器から受け取る外部入力部１３と、チューナ１１又は外部入力部１３に入力された映像情報コンテンツのスクランブルを解除するデスクランブラ１２とを備える。
【００２０】
図２に示されるように、抽出部２０は、例えば、入力された映像情報コンテンツから、各種情報として映像情報、音声情報、画像情報、文字情報、及びレイアウト情報を分離（抽出）するデマルチプレクサ２１と、デマルチプレクサ２１で分離された映像情報をデコードして、表示部４０で表示可能な映像情報（映像データ）を生成する映像情報デコーダ２２と、デマルチプレクサ２１で分離された画像情報、文字情報、及びレイアウト情報に基づいて、表示可能な画像情報（画像データ）及び文字情報（文字データ）、並びに、ＣＰＵ６２で処理可能なレイアウト情報を生成するデータ放送処理部２３と、デマルチプレクサ２１で分離された音声情報をデコードして再生可能な音声情報（音声データ）を生成する音声情報デコーダ２５とを備える。また、抽出部２０は、画面４１に表示されるメニュー表示等のような図形情報を生成するグラフィックス生成部２４を備えてもよい。
【００２１】
制御部６０は、例えば、映像表示装置１全体の制御を行うＣＰＵ（Ｃｅｎｔｒａｌ  Ｐｒｏｃｅｓｓｉｎｇ  Ｕｎｉｔ）６２と、ＣＰＵ６２が実行するプログラム及びデータを記憶するＲＡＭ（Ｒａｎｄｏｍ  Ａｃｃｅｓｓ  Ｍｅｍｏｒｙ）６４と、プログラム及びデータを保持するＲＯＭ（Ｒｅａｄ  Ｏｎｌｙ  Ｍｅｍｏｒｙ）等の不揮発メモリ６３とを備える。なお、コンテンツ入力部１０の処理の一部、抽出部２０の処理、及び合成部３０の処理などを、プログラムを実行するＣＰＵ６２によって、行うことも可能である。
【００２２】
操作入力部７０は、例えば、映像表示装置１に対してユーザ操作を入力するための操作ボタン７１と、リモコン７３から発せられるユーザ操作情報としての信号（例えば、光パルス信号、無線信号等）が入力されるリモコン受信部７２とを備える。操作入力部７０は、ユーザが情報又は指示を入力することができる構成であれば限定されず、タッチパネル、キーボード、マウス等のような各種入力部を用いることができる。
【００２３】
合成部３０は、例えば、映像情報デコーダ２２で生成された映像データに変倍処理（拡大、縮小、等倍）を行い、データ放送処理部２３で生成された文字データ及び画像データに変倍処理（拡大、縮小、等倍）を行い、グラフィックス生成部２４で生成されたグラフィックスデータに変倍処理（拡大、縮小、等倍）を行い、変倍された映像データ、画像データ、文字データ、及びグラフィックスデータを合成する処理を行うことによって、合成映像データを生成する。また、合成部３０は、文字データ及びグラフィックスデータ等に左又は右９０度回転処理を施してもよい。表示部４０は、合成部３０によって生成された合成映像データに基づく映像を画面４１に表示する。合成部３０は、外部入力部１３から入力された外部映像データを、合成映像データに含めることもできる。
【００２４】
音声情報デコーダ２５の出力は、そのままデジタル音声信号として出力される。また、音声情報デコーダ２５の出力は、アナログ変換部８０でアナログ信号に変換され、このアナログ信号に基づく音がスピーカ８１から出力される。
【００２５】
図３（ａ）及び（ｂ）は、本実施の形態に係る映像表示装置１の表示部４０の画面４１の縦長表示状態及び横長表示状態の例をそれぞれ示す正面図である。図３（ａ）に示される縦長表示状態の画面４１を、支持部４１ａを中心にして装置本体に対し９０度回転させることによって、図３（ｂ）に示される横長表示状態の画面４１に切り替えることができる。このような構造の場合には、状態情報取得部５０は、例えば、画面４１の回転角度を検出し、回転角度が０度のときに縦長表示状態であると検出し、回転角度が９０度のときに横長表示状態であると検出することができる。
【００２６】
図４（ａ）及び（ｂ）は、本実施の形態に係る映像表示装置１の表示部４０の画面４１の縦長表示状態及び横長表示状態の他の例をそれぞれ示す正面図である。図４（ａ）に示される縦長表示状態の画面４１を、重力方向を基準に９０度回転させることによって、図４（ｂ）に示される横長表示状態の画面４１に切り替えることができる。このような構造の場合には、状態情報取得部５０は、例えば、重力方向を検出することができる重力センサを内蔵しており、重力方向に対する画面４１の姿勢を検出し、この検出結果に基づいて画面４１が縦長表示状態であるか横長表示状態であるかを判定することができる。
【００２７】
図５は、本実施の形態に係る映像表示装置１が受信するコンテンツ信号Ｃ１としての映像情報コンテンツ２００の構成例を示す図である。図５に示されるように、映像情報コンテンツ２００は、複数のレイアウト情報として、例えば、レイアウト情報（Ｘ）２５０、レイアウト情報（Ｙ）２５１、及びレイアウト情報（Ｚ）２５２を含む。また、映像情報コンテンツ２００は、複数の表示情報として、例えば、放送番組の映像情報（Ａ）２１０、映像情報（Ｂ）２１１、及び映像情報（Ｃ）２１２を含むことができる。また、映像情報コンテンツ２００は、複数の表示情報として、例えば、データ放送の画像情報（Ｇ）２２０、画像情報（Ｈ）２２１、及び画像情報（Ｊ）２２２を含むことができる。また、映像情報コンテンツ２００は、複数の表示情報として、例えば、データ放送の文字情報（Ｋ）２３０、文字情報（Ｌ）２３１、及び文字情報（Ｍ）２３２を含むことができる。また、映像情報コンテンツ２００は、例えば、音声情報（Ｄ）２４０、音声情報（Ｅ）２４１、及び音声情報（Ｆ）２４２を含むことができる。図５は、映像情報コンテンツ２００の一例を示しているが、映像情報コンテンツ２００の構成は、図５の例に限定されない。
【００２８】
また、図５は、映像情報コンテンツ２００に複数の映像情報、複数の画像情報、複数の文字情報、複数の音声情報、及び複数のレイアウト情報が含まれている場合を例示しているが、映像情報コンテンツは、これらの情報が混合されて一連のデータ列として構成されたものであってもよい。映像情報コンテンツ２００は、例えば、ＭＭＴ−ＴＬＶ（ＭＰＥＧ  Ｍｅｄｉａ  Ｔｒａｎｓｐｏｒｔ−Ｔｙｐｅ  Ｌｅｎｇｔｈ  Ｖａｌｕｅ）型式により、レイアウト情報と、映像情報、画像情報、及び文字情報のいずれか１つ以上とを、一連のトランスポート型式のデータ列に変換することによって構成されてもよい。この方式は、既知の技術であり、例えば、非特許文献１に説明されている。映像情報コンテンツ２００に含まれる映像情報、画像情報、文字情報、音声情報、及びレイアウト情報は、それぞれの固有の識別子を参照することにより、分離して取り出すことが可能である。
【００２９】
図６は、本実施の形態に係る映像表示装置１によって受信されるコンテンツ信号Ｃ１としての映像情報コンテンツに含まれるレイアウト情報の一例を示す図である。図６は、図５のレイアウト情報（Ｘ）２５０として、画面４１が横長表示状態である場合のレイアウト情報が記述されている場合を示す。したがって、図６は、画面４１の表示レイアウトに対応する表示領域を示している。レイアウト情報には、図５の映像情報（Ａ）２１０、映像情報（Ｂ）２１１、映像情報（Ｃ）２１２、画像情報（Ｇ）２２０、及び文字情報（Ｋ）２３０を表示する表示領域についての情報が記述されており、図６は、これを具体的に図示している。領域３００は、レイアウト情報（Ｘ）２５０による表示レイアウト全体を示す。映像情報（Ａ）２１０は表示領域３０１に、映像情報（Ｂ）２１１は表示領域３０２に、映像情報（Ｃ）２１２は表示領域３０３に、画像情報（Ｇ）２２０は表示領域３０６に、文字情報（Ｋ）２３０は表示領域３０４に、それぞれ表示される。なお、情報３１０は、レイアウト情報（Ｘ）２５０で再生される音声情報（Ｄ）２４０を示すものであり、画面４１上の表示領域を示すものではない。
【００３０】
図７は、本実施の形態に係る映像表示装置１が受信する映像情報コンテンツのレイアウト情報のデータ構造の一例を表形式で示す図である。図７の記載方式は、ＭＭＴ−ＴＬＶによるトランスポート型式のデータ列の記載方式を示している。この記載方式は、例えば、非特許文献１の「表７−１２」に説明されている。図５に示されるレイアウト情報（Ｘ）２５０に基づく表示レイアウトは、図７に示される識別子の記述により記載されることができる。
【００３１】
図７において、識別子４０１「ｔａｂｌｅ＿ｉｄ」は、レイアウト情報を示す種別情報である。
識別子４０２「ｖｅｒｓｉｏｎ」は、レイアウト情報のバージョンを示す番号である。
識別子４０３「ｌｅｎｇｔｈ」は、レイアウト情報全体のデータ列の長さを示す。
識別子４０４「ｎｕｍｂｅｒ＿ｏｆ＿ｌｏｏｐ」は、レイアウト及びデバイス数であり、このテーブルで設定するレイアウトとデバイスの組み合わせの総数を示す。すなわち、識別子４０４は、以降に記載するレイアウト番号及びデバイスＩＤごとの構造体のループ回数である。
識別子４０５「ｆｏｒ（…）」は、構造体のループ構造を示す。
識別子４０６「ｌａｙｏｕｔ＿ｎｕｍｂｅｒ」は、レイアウト番号を示す。‘０’は、デフォルトのレイアウト設定である。１つのレイアウトが複数のデバイスから構成されることも可能である。識別子４０６は、例えば、図５のレイアウト情報（Ｘ）２５０であるか、レイアウト情報（Ｙ）２５１であるか、レイアウト情報（Ｚ）２５２であるか、を示す。
識別子４０７「ｄｅｖｉｃｅ＿ｉｄ」は、デバイスＩＤであり、クライアント端末の番号を示す。‘０’はメインデバイスである。識別子４０７は、画面４１の種別を示す番号であり、画面４１が複数で構成する場合には、識別子４０７に異なる番号を入れる。
識別子４０８「ｒａｔｉｏ＿ｗｉｄｔｈ＿ｈｅｉｇｈｔ」は、画面の横縦比を示す。表示部４０の画面４１全体の横と縦の比を表わす数字を入れる。例えば、横が１９２０ドットで縦が１０８０ドットの画面４１を対象とする場合には、これらの比の簡単な整数比１６：９に変換し、前の８ビットに“１６（１０進数）”を、後の８ビットに“９（１０進数）”を設定した“０ｘ１００９（１６進数）”とする。
【００３２】
識別子４０９「ｎｕｍｂｅｒ＿ｏｆ＿ｒｅｇｉｏｎ」は、画面４１に配置される矩形領域の個数である。
識別子４１０「ｆｏｒ（ｊ＝０；ｊ＜ｎｕｍｂｅｒ＿ｏｆ＿ｒｅｇｉｏｎ；ｊ＋＋）｛」は、構造体のループ構造を示す。
識別子４１１「ｒｅｇｉｏｎ＿ｎｕｍｂｅｒ」は、領域番号を示す。‘０’はデフォルトの領域番号である。同一レイアウトの異なるデバイスには、異なる領域番号が割り当てられる。識別子４１１は、レイアウト情報（Ｘ）２５０内の矩形領域の種別を示す番号である。
識別子４１２「ｌｅｆｔ＿ｔｏｐ＿ｐｏｓ＿ｘ」は、左上水平位置を示し、表示領域の左上の水平位置を、水平方向の全画素数に対する割合で示す。全画面表示の左側を‘０’、全画面表示の右側を‘１００’とする。
識別子４１３「ｌｅｆｔ＿ｔｏｐ＿ｐｏｓ＿ｙ」は、左上垂直位置を示し、表示領域の左上の垂直位置を、垂直方向の全画素数に対する割合で示す。全画面表示の上側を‘０’、全画面表示の下側を‘１００’とする。
識別子４１４「ｒｉｇｈｔ＿ｄｏｗｎ＿ｐｏｓ＿ｘ」は、右下水平位置を示し、表示領域の右下の水平位置を、水平方向の全画素数に対する割合で示す。
識別子４１５「ｒｉｇｈｔ＿ｄｏｗｎ＿ｐｏｓ＿ｙ」は、右下垂直位置を示し、表示領域の右下の垂直位置を、垂直方向の全画素数に対する割合で示す。
識別子４１６「ｏｒｇ＿ｌｅｆｔ＿ｔｏｐ＿ｐｏｓ＿ｘ」は、元の表示情報全体から切り出す矩形領域の左上の水平位置を、
識別子４１７「ｏｒｇ＿ｌｅｆｔ＿ｔｏｐ＿ｐｏｓ＿ｙ」は、元の表示情報全体から切り出す矩形領域の左上の垂直位置を、
識別子４１８「ｏｒｇ＿ｒｉｇｈｔ＿ｄｏｗｎ＿ｐｏｓ＿ｘ」は、元の表示情報全体から切り出す矩形領域の右下の水平位置を、
識別子４１９「ｏｒｇ＿ｒｉｇｈｔ＿ｄｏｗｎ＿ｐｏｓ＿ｙ」は、元の表示情報全体から切り出す矩形領域の右下の垂直位置を、それぞれの全画素数に対する割合で示す。
【００３３】
識別子４２０「ｌａｙｅｒ＿ｏｒｄｅｒ」は、レイヤー順序を示し、表示領域の奥行き方向の相対位置を示す。‘０’は、最後列に提示する表示領域を示し、数字が大きくなるほど、より前面側の表示とする。
識別子４２１「ｃｏｎｔｅｎｔｓ＿ｉｄ」は、表示領域に表示すべき映像情報、画像情報、文字情報、及び音声情報のいずれかを示すコンテンツ番号とする。ただし、識別子４２１のコンテンツ番号として音声情報を示す番号を記載した場合には、識別子４１２から４１９に記載する数値は、意味を持たないため全て０としたときと同様とする。
「ｄｅｓｃｒｉｐｔｏｒ」は、記述子領域を示し、レイアウトの詳細な情報を示す記述子のための領域である。
また、映像情報、画像情報、文字情報、及び音声情報のいずれかの付属情報として、レイアウト情報の種別を示す識別子４０６及びレイアウト情報（Ｘ）２５０内の矩形領域の種別を示す識別子４１１が指定された場合には、識別子４２１のコンテンツ番号記載に依らず、映像情報、画像情報、文字情報を表示、又は音声情報を出力するよう構成することもできる。
識別子４２２は、レイアウトのその他の詳細な情報を示す記述子のための領域である。例えば、画面４１が複数で構成する場合の画面４１の位置関係の詳細等を記載する。
【００３４】
なお、図７において、「ｕｉｍｓｂｆ」は、ビット列表記法を示し、「ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔ（符号無し整数、最上位ビットが先頭）」の略である。
【００３５】
図８は、本実施の形態に係る映像表示装置１が受信する映像情報コンテンツのレイアウト情報のデータ構造に、図６に示される表示レイアウトを適用した場合を、表形式で示す図である。図８においては、図７に示される映像情報コンテンツのレイアウト情報のデータ構造の一例を示す表のうちの、表示領域に係る識別子のみを表記し、他の部分の記載を省略する。図７の識別子４０４の構造体のループ個数（ｎｕｍｂｅｒ＿ｏｆ＿ｌｏｏｐ）は、「１」である。図７の識別子４０６のレイアウト情報の種別を示す番号（ｌａｙｏｕｔ＿ｎｕｍｂｅｒ）は、レイアウト情報（Ｘ）２５０を示す「２５０」である。図７の識別子４０７は、画面４１の識別番号（ｄｅｖｉｃｅ＿ｉｄ）は、標準的な「０」とする。識別子４０８の画面全体の横と縦の比（ｒａｔｉｏ＿ｗｉｄｔｈ＿ｈｅｉｇｈｔ）は、横対縦が１６：９を示す“０ｘ１００９（１６進数）”とする。識別子４０９の配置する矩形領域の個数（ｎｕｍｂｅｒ＿ｏｆ＿ｒｅｇｉｏｎ）は、音声情報のレイアウト情報を含めた「６」である。
【００３６】
図６の表示領域３０１は、ｒｅｇｉｏｎ＿ｎｕｍｂｅｒ「１」として１１個の識別子で記述される。識別子４１１の矩形領域の種別を示す番号は「１」とする。識別子４１２及び識別子４１３は、全表示領域の左上を示す「０」及び「０」、識別子４１４及び識別子４１５は、全表示領域の水平方向８０％、垂直方向８０％を示す「８０」及び「８０」とする。識別子４１６、識別子４１７、識別子４１８、及び識別子４１９は、元のデータの全てを表示するとしてそれぞれ、「０」、「０」、「１００」、及び「１００」とする。識別子４２０の領域間の相対位置を示す数値は、標準的な「０」とする。識別子４２１のコンテンツ番号は、図５の映像情報（Ａ）２１０を示す「２１０」とする。
【００３７】
同様に、図６の表示領域３０２、３０３、３０４、及び３０６として、図８のｒｅｇｉｏｎ＿ｎｕｍｂｅｒ「２」、「３」、「４」、「５」として示す数値を設定する。また、図８のｒｅｇｉｏｎ＿ｎｕｍｂｅｒ「６」として示される図６の音声情報（Ｄ）２４０を示す領域３１０は、画面４１に関する識別子は「０」を設定し、識別子４２１のコンテンツ番号として図５の音声情報（Ｄ）２４０を示す「２４０」を設定する。
【００３８】
図９は、本実施の形態に係る映像表示装置１によって受信されるコンテンツ信号Ｃ１としての映像情報コンテンツに含まれるレイアウト情報の他の例を示す図である。図９は、画面４１が縦長表示状態である場合に適用されるレイアウト情報の一例を示す。図９は、図５のレイアウト情報（Ｙ）２５１に、画面４１が縦方向に長くなるように設定される場合のレイアウト情報の構成である。図９の例では、図５の映像情報（Ａ）２１０が記述され、映像情報（Ｂ）２１１が記述され、映像情報（Ｃ）２１２が記述され、画像情報（Ｇ）２２０が記述され、ｒｅｇｉｏｎ＿ｎｕｍｂｅｒ「７」として画像情報（Ｈ）２２１が記述され、文字情報（Ｋ）２３０が記述され、及び文字情報（Ｌ）２３１が記述されている。領域５００は、レイアウト情報（Ｙ）２５１全体の表示領域を示す。映像情報（Ａ）２１０は表示領域５０１に、映像情報（Ｂ）２１１は表示領域５０２に、映像情報（Ｃ）２１２は表示領域５０３に、画像情報（Ｇ）２２０は表示領域５０６に、画像情報（Ｈ）２２１は表示領域５０７に、文字情報（Ｋ）２３０は表示領域５０４に、文字情報（Ｌ）２３１は表示領域５０５に、それぞれ表示される。なお、ｒｅｇｉｏｎ＿ｎｕｍｂｅｒ「８」として記述されている領域５１０は、レイアウト情報（Ｙ）２５１で再生する音声として音声情報（Ｄ）２４０を用いることを示すもので、画面表示の領域を示すものではない。
【００３９】
図１０は、本実施の形態に係る映像表示装置１が受信する映像情報コンテンツのレイアウト情報のデータ構造に、図９に示される表示レイアウトを適用した場合を、表形式で示す図である。図１０においては、図７に示される映像情報コンテンツのレイアウト情報のデータ構造の一例を示す表のうちの、表示領域に係る識別子のみを表記し、他の部分の記載を省略する。図８に示されるレイアウト情報（Ｘ）２５０では、識別子４０８の画面４１全体の横と縦の比は、横対縦が１６：９を示す“０ｘ１００９（１６進数）”であったが、図１０のレイアウト情報（Ｙ）２５１では、識別子４０８は、横対縦が９：１６を示す“０ｘ０９１０（１６進数）”が設定される。また、各表示領域の位置が図９に示される数値に変更され、さらに、画像情報（Ｈ）及び文字情報（Ｌ）に関するレイアウト情報が追加されている。図１０では、ｒｅｇｉｏｎ＿ｎｕｍｂｅｒ「１」として図５の映像情報（Ａ）２１０が記述され、ｒｅｇｉｏｎ＿ｎｕｍｂｅｒ「２」として映像情報（Ｂ）２１１が記述され、ｒｅｇｉｏｎ＿ｎｕｍｂｅｒ「３」として映像情報（Ｃ）２１２が記述され、ｒｅｇｉｏｎ＿ｎｕｍｂｅｒ「６」として画像情報（Ｇ）２２０が記述され、ｒｅｇｉｏｎ＿ｎｕｍｂｅｒ「７」として画像情報（Ｈ）２２１が記述され、ｒｅｇｉｏｎ＿ｎｕｍｂｅｒ「４」として文字情報（Ｋ）２３０が記述され、及びｒｅｇｉｏｎ＿ｎｕｍｂｅｒ「５」として文字情報（Ｌ）２３１が記述されている。なお、ｒｅｇｉｏｎ＿ｎｕｍｂｅｒ「８」として記述されている領域５１０は、レイアウト情報（Ｙ）２５１で再生する音声として音声情報（Ｄ）２４０を用いることを示すもので、画面表示の領域を示すものではない。
【００４０】
図１１は、縦長表示状態の２つの画面に適用される表示レイアウトのレイアウト情報の一例を示す図である。図５のレイアウト情報（Ｚ）２５２には、複数の画面４１が２つ設置されるレイアウト情報の構成である。図５の映像情報（Ａ）２１０、文字情報（Ｋ）２３０の表示する表示領域についての情報が記載しており、図１１では、これを具体的に図示している。領域６００は、レイアウト情報（Ｚ）２５２の１つ目の画面４１の表示領域を示し、領域６０１は、レイアウト情報（Ｚ）２５２の２つ目の画面４１の表示領域を示す。画面４１としての領域６００は、左側に、領域６０１は、右側に設置するための構成とする。領域６００の上部側には、映像情報（Ａ）２１０の左側半分を表示する表示領域６０３を、領域６００の下部側には、文字情報（Ｋ）２３０の左側半分を表示する表示領域６０５を配置する。同様に、領域６０１の上部側には、映像情報（Ａ）２１０の右側半分を表示する表示領域６０４を、領域６０１の下部側には、文字情報（Ｋ）２３０の右側半分を表示する表示領域６０６を配置する。なお、領域６１０は、レイアウト情報（Ｚ）２５２の領域６００で再生する音声として音声情報（Ｄ）２４０を、領域６０１で再生する音声として音声情報（Ｅ）２４１を用いることを示すもので、画面４１表示の領域を示すものではない。
【００４１】
図１０は、本実施の形態に係る映像表示装置１が受信する映像情報コンテンツ２００のレイアウト情報のデータ構造に、図１１に示される表示レイアウトを適用した場合を、表形式で示す図である。図１０においては、図７に示される映像情報コンテンツのレイアウト情報のデータ構造の一例を示す表のうちの、表示領域に係る識別子のみを表記し、他の部分の記載を省略する。
図１２において、図７の識別子４０４であるnumber_of_loopとして、画面４１が２つあり各々にレイアウト番号が１つずつあることを示す「２」を設定する。また、図７の識別子４０８として、図１０に示されるレイアウト情報（Ｙ）２５１と同様に、縦方向に長い画面４１を設置した場合の横縦比（ratio_width_height）として横対縦が９：１６を示す“０ｘ０９１０（１６進数）”を設定する。２つの画面４１の相対位置関係を示す情報として、例えば、識別子４２２にこれを示す情報として横並を示す「０」を設定する。
【００４２】
以上のようにして、映像情報コンテンツ２００のレイアウト情報として、図６に示される横長表示状態、図９に示される縦長表示状態、図１１に示される２画面の縦長表示状態等、様々な配置を指定することができ、その具体的な設定方法としては、それぞれ図８、図１０、図１２のデータ構造を一例として実現できることを説明した。
【００４３】
次に、映像表示装置１が、以上のようなレイアウト情報を含む映像情報コンテンツ２００を受信して、映像情報コンテンツ２００に含まれるレイアウト情報に従い、表示部４０の画面４１に表示を行うまでの処理を説明する。図１３は、本実施の形態に係る映像表示装置１のレイアウト情報に基づく表示処理を示すフローチャートである。以下、図１及び図１３に従って表示処理を説明する。
【００４４】
映像表示装置１の制御部６０は、ステップＳ１において処理を開始した後、ステップＳ２において表示部４０の画面４１に関する情報及び画面４１の設置に関する情報等の画面状態情報を状態情報取得部５０から取得する。画面状態情報は、例えば、画面４１の表示可能な幅及び高さ（例えば、横及び縦のドット数）を含む。また、画面状態情報は、画面４１の個数を含むことができる。画面４１の設置に関する情報とは、例えば、縦長表示状態であるか、あるいは、横長表示状態であるかを示す情報である。また、状態情報取得部５０は、縦長表示状態として、画面４１の回転角度が０度の場合と１８０度（上下逆向き）の場合とを区別した情報を提供してもよい。また、状態情報取得部５０は、横長表示状態として、基準位置から画面４１を右に９０度回転させた状態、あるいは、画面４１を左に９０度回転させた状態のいずれであるかを区別した情報を提供してもよい。
【００４５】
次に、ステップＳ３において、コンテンツ入力部１０にコンテンツ信号Ｃ１としての映像情報コンテンツが入力される。コンテンツ入力部１０には、例えば、アンテナで受信されたデジタル放送信号の映像情報コンテンツ又は外部機器から送出された映像情報コンテンツが入力される。また、映像表示装置１に設けた記憶部に記憶された映像情報コンテンツをコンテンツ入力部１０に与えてもよい。
【００４６】
次に、ステップＳ４において、制御部６０は、抽出部２０から映像情報コンテンツに含まれるレイアウト情報を取得する。映像情報コンテンツに含まれるレイアウト情報は、抽出部２０によって一定の識別子を参照することにより、抽出することができる。ステップＳ５において、制御部６０は、映像情報コンテンツに含まれる未取得のレイアウト情報がある場合には、映像情報コンテンツに含まれるレイアウト情報の全てを取得するまで、ステップＳ４において、レイアウト情報を取得するための処理を繰り返す。ステップＳ５において、制御部６０が、映像情報コンテンツに含まれるレイアウト情報の全てを取得すると、処理はステップＳ６に進む。
【００４７】
ステップＳ６において、制御部６０のレイアウト決定部６１は、ステップＳ４において取得された複数のレイアウト情報の中から、ステップＳ２において取得された画面状態情報に従い、映像表示装置１の画面４１に最適なレイアウト情報を選択する。制御部６０のレイアウト決定部６１は、表示部４０の画面４１が縦長表示状態であり、レイアウト情報の中で縦長の表示領域を対象としたものが存在すれば、これを選択する。制御部６０のレイアウト決定部６１は、縦長の表示領域を対象とした複数のレイアウト情報がある場合には、映像情報コンテンツが予め指定するレイアウト情報における優先度に応じて、複数のレイアウト情報の内の１つを選択するよう構成してもよい。また、制御部６０のレイアウト決定部６１は、複数のレイアウト情報の内の、画面４１の表示可能な幅及び高さに最も近似するレイアウト情報を選択してもよいし、また、レイアウト決定部６１は、複数のレイアウト情報の内の、ユーザからの操作により指定するレイアウト情報を選択してもよい。レイアウト決定部６１は、取得したレイアウト情報の中に、縦長画面表示を対象としたものが存在しなければ、表示領域が最も近似する横長の画面４１を対象としたレイアウト情報を選択してもよいし、又は、映像情報コンテンツが予め指定する標準のレイアウト情報を選択してもよい。ステップＳ４においてレイアウト情報を１つも取得できなかった場合には、映像表示装置１が予め備える基本のレイアウト情報を選択するよう構成してもよい。映像表示装置１が予め備える基本のレイアウト情報としては、例えば、標準の映像情報を表示領域全体に表示するなど、映像情報コンテンツの種類に依らず表示可能な構成とする。
【００４８】
次に、ステップＳ７において、ステップＳ６で選択されたレイアウト情報によって示される表示レイアウトで区分される表示領域の各々に表示される表示情報（例えば、映像情報、文字情報、画像情報等）及び音声情報を、映像情報コンテンツから取得する。映像情報コンテンツに含まれる表示情報（映像情報、文字情報、画像情報等）及び音声情報は、抽出部２０において抽出される。これらの処理を、レイアウト情報によって示される表示レイアウトで区分される表示領域の各々について行い、表示情報（映像情報、文字情報、画像情報等）及び音声情報を割り当てる。制御部６０は、ステップＳ８において全ての情報を取得したと判定すると、処理は次のステップＳ９に進む。なお、映像情報及び音声情報は、一般には、映像情報コンテンツの中に継続的に含まれており、映像情報及び音声情報を全て取得せずに、情報を取得しながら同時に表示及び音声再生を行うよう構成する場合がある。ただし、図１３のフローチャートは、説明の簡略化のために、情報を取得しながら、同時に表示及び音声再生を行う処理を示していない。
【００４９】
次に、ステップＳ９において、表示部４１は、画面４０に各表示領域に、取得した表示情報（映像情報、文字情報、画像情報等）に基づく表示を行い、スピーカ８１から取得した音声情報に基づく音を出力するか又は音声信号を出力する。
【００５０】
次に、ステップＳ１０において、制御部６０は、合成部３０を制御して、合成部３０に、選択されたレイアウト情報に記載される領域指定に従って、ステップＳ９において変換した表示情報（映像情報、画像情報、文字情報）を、拡大又は縮小又は回転などの加工処理を行わせ、選択されたレイアウト情報に記載される表示領域に表示されるよう位置を調整して合成処理を行い、合成映像データを生成する。選択されたレイアウト情報の内容によっては、例えば、図１１の説明のように、拡大又は縮小する際に元の映像情報又は元の画像情報の一部の表示領域のみを拡大又は縮小する場合もある。また、図１１の説明のように、画面４１が複数で構成される場合には、ステップＳ１０の処理を２つの画面のそれぞれについて行い、それぞれの画面ごとの合成映像データを生成する。
【００５１】
ステップＳ１０において、例えば、図９に示されるように、画面４１を縦長に回転して設置する場合には、図９の表示領域５０１に対して映像情報（Ａ）２１０を拡大又は縮小のみを行い表示すると、表示領域５０１に映像情報（Ａ）２１０が９０度回転して表示されてしまう。これを防ぐために、制御部６０は、合成部３０を制御して、映像情報（Ａ）２１０を拡大又は縮小した後、９０度右又は左に回転させてから合成する処理を行わせる。具体的には、合成部３０は、以下のような処理を行う。
【００５２】
映像情報（Ａ）２１０が、映像情報を作成したときと同じ状態の映像を映像情報コンテンツ２００に格納する場合には、映像情報（Ａ）２１０の付加情報（回転していない旨の情報）を映像情報コンテンツ２００に格納する。同様に、映像情報コンテンツ２００を映像情報を作成したときの位置から回転させてから映像情報コンテンツ２００に格納する場合には、映像情報（Ａ）２１０の付加情報（回転させた旨の情報）を映像情報コンテンツ２００に格納する。
【００５３】
図１４は、映像情報の回転に関する付加情報の例を表形式で示す図である。映像情報の回転に関する付加情報として、回転しない場合が「０」、反時計回りに９０度回転した場合が「１」、反時計回りに１８０度回転した場合が「２」、反時計回りに２７０度回転した場合が「３」とする。このような付加情報の特定は、例えば、非特許文献１の「７．４．３．１９章」における、映像コンポーネント記述子という識別子によって行うことができる。図１４に示される映像情報の回転に関する付加情報を、識別子に格納するよう構成すれば、個々の映像情報の回転に関する情報を映像情報コンテンツ２００に格納することが可能になる。
【００５４】
次に、ステップＳ１０において、制御部６０は、付加情報を示す識別子により、該当の映像情報の回転に関する付加情報を取得し、合成部３０に、映像情報を拡大又は縮小し、所望の回転処理を実行させた後に、合成処理を行って合成映像データを生成させる。
【００５５】
次に、ステップＳ１１において、表示部４０は、ステップＳ１０における合成処理によって生成された合成映像データに基づく映像を画面４１に表示する。表示部４０が、複数の画面４１を有する場合には、表示部４０は、それぞれの合成映像データを複数の画面のうちの該当する画面に表示する。また、再生する音声データがある場合には、例えば、図１のスピーカ８１で音声を再生する。
【００５６】
なお、ステップＳ１１において、表示部４０が、合成映像データに基づく映像を画面４１に表示した後、表示更新を繰り返す場合には、再度、ステップＳ３の映像情報コンテンツの入力を実行する。
【００５７】
このようにして図１３のフローチャートのステップＳ１からＳ１１の処理に従い、画面４１の設置の状態に従い、映像情報コンテンツに含まれるレイアウト情報から最適なものを選択し、選択されたレイアウト情報に従い画面４１に映像を表示することができる。レイアウト情報は、表示情報（映像情報、文字情報、画像情報等）及び音声情報と同様に、映像情報コンテンツに包含することができ、表示する際に識別子により容易に取得することができ、さらに、画面４１の設置に最も適したレイアウト情報に従って表示することが可能になる。このため、映像情報コンテンツの作成者は、予め横長の画面４１に加えて、縦長の画面４１、複数の画面等における、希望する表示レイアウトをレイアウト情報として映像情報コンテンツに包含しておくことで、これら表示部４０の画面４１の設置の状態に応じた最適な表示処理を行うことができる。
【００５８】
以上に説明したように、本実施の形態に係る映像表示装置１及び映像表示方法においては、表示部４０の画面４１の状態に応じて、受信された映像情報コンテンツに含まれる複数のレイアウト情報の内の１つを選択し、選択されたレイアウト情報によって示される複数の表示領域に応じて、複数の表示情報（映像情報、画像情報、文字情報等）に対し加工処理及び合成処理を行って合成映像データを生成し、合成映像データに基づく合成映像を画面４１に表示する。このように、本実施の形態に係る映像表示装置１及び映像表示方法によれば、画面４１の状態ごとに、放送番組の制作者が指定する表示レイアウトで映像を表示することができる。
【００５９】
また、１つの映像情報コンテンツについて、複数の表示レイアウトを適用可能であり、また、表示レイアウトごとに専用に映像情報コンテンツを保持する必要がなく、映像情報コンテンツのデータサイズを削減することができる。
【符号の説明】
【００６０】
１  映像表示装置、  １０  コンテンツ入力部、  １１  チューナ、  １２  デスクランブラ、  １３  外部入力部、  ２０  抽出部（コンテンツ分離部）、  ２１  デマルチプレクサ、  ２２  映像情報デコーダ、  ２３  データ放送処理部、  ２４  グラフィックス生成部、  ２５  音声情報デコーダ、  ３０  合成部、  ４０  表示部、  ４１  画面、  ５０  状態情報取得部、  ６０  制御部、  ６１  レイアウト決定部、  ６２  ＣＰＵ、  ６３  不揮発メモリ、  ６４  ＲＡＭ、  ７０  操作入力部、  ７１  操作ボタン、  ７２  リモコン受信部、  ７３  リモコン、  ８０  音声アナログ変換部、  ８１  スピーカ、  ２００  コンテンツ、  ２１０〜２１２  映像情報、  ２２０〜２２２  画像情報、  ２３０〜２３２  文字情報、  ２４０〜２４２  音声情報、  ２５０〜２５２  レイアウト情報、  ３００，５００，６００，６０１  表示レイアウト、  ３０１〜３０３，５０１〜５０３，６０３，６０４  映像情報の表示領域、  ３０４，５０４，５０５，６０５，６０６  文字情報の表示領域、  ３０６，５０６，５０７  画像情報の表示領域、  ３１０，５１０，６１０，６１１  音声情報。
【図１】
2016178421.tif 000003
【図２】
2016178421.tif 000004
【図３】
2016178421.tif 000005
【図４】
2016178421.tif 000006
【図５】
2016178421.tif 000007
【図６】
2016178421.tif 000008
【図７】
2016178421.tif 000009
【図８】
2016178421.tif 000010
【図９】
2016178421.tif 000011
【図１０】
2016178421.tif 000012
【図１１】
2016178421.tif 000013
【図１２】
2016178421.tif 000014
【図１３】
2016178421.tif 000015
【図１４】
2016178421.tif 000016